(57)【要約】【課題】部品数を減らすことができかつ操作部を簡略化できる電子機器を提供する。【解決手段】電子機器の一例であるビデオプロジェクタ１０の操作部に、透明樹脂の一体成形品からなる操作表示用部品４０が取付けられている。この操作表示用部品４０に、コントロールボタン部３１ａ〜３１ｉと、インジケータ部３３ａ〜３３ｄと、フレーム部４１と、ヒンジ部４２などが設けられている。コントロールボタン部３１ａ〜３１ｉは、筐体内部の接点部と対応した位置に配置される。コントロールボタン部３１ａ〜３１ｉの表面にアルミニウム蒸着等による表面処理層６０が形成されている。インジケータ部３３ａ〜３３ｄは、筐体内部の発光素子と対応した位置に配置され、発光素子から出る光を表示する。【選択図】図３
2007172988.tif 000002
【特許請求の範囲】
【請求項１】
操作部を設ける筐体と、
前記筐体の内部に配置され、接点部および発光源を有する基板と、
前記操作部に設けられ、透明樹脂の一体成形品からなる操作表示用部品とを有し、
前記操作表示用部品は、
前記接点部と対応した位置に配置され少なくとも一部に光の透過を抑制する表面処理層が形成されたコントロールボタン部と、
前記コントロールボタン部と一体に成形されかつ前記発光源と対応した位置に配置され前記発光源から出る光を前記操作部に表示するインジケータ部と、
を具備したことを特徴とする電子機器。
【請求項２】
前記操作部の前記コントロールボタン部および前記インジケータ部と対応する位置に貫通孔が形成され、これら貫通孔に前記コントロールボタン部と前記インジケータ部が前記筐体の内側から挿入され、該コントロールボタン部とインジケータ部を前記操作部に露出させたことを特徴とする請求項１に記載の電子機器。
【請求項３】
前記コントロールボタン部に設ける前記表面処理層は、アルミニウム蒸着膜、塗装膜、めっきのいずれか一つから選択されたものであることを特徴とする請求項２に記載の電子機器。
【請求項４】
操作部を設ける筐体と、
前記筐体の内部に配置され、複数の接点部および発光源を有する基板と、
前記操作部に設けられ、透明樹脂の一体成形品からなる操作表示用部品とを有し、
前記操作表示用部品は、
前記筐体の内部に固定するための取付部を有するフレーム部と、
前記基板に対する前記フレーム部の位置決めをなすための位置決め部と、
前記それぞれの接点部と対応した位置に配置され、少なくとも前記操作部上に突出する部位にアルミニウム蒸着膜が形成されかつ前記筐体に形成された貫通孔に該筐体の内側から挿入されるコントロールボタン部と、
前記フレーム部の前記取付部と前記それぞれのコントロールボタン部との間に形成され、厚み方向に弾性変形可能で前記コントロールボタン部が押されたときに撓む板状のヒンジ部と、
前記コントロールボタン部と一体に成形されかつ前記筐体に形成された貫通孔に該筐体の内側から挿入され、前記発光源と対応した位置に配置されて前記発光源から出る光を前記操作部に表示するインジケータ部と、
を具備したことを特徴とする電子機器。
【請求項５】
前記フレーム部の前記インジケータ部が形成されている部位に、他の部位よりも肉厚を薄くしてなる薄肉部が形成され、該薄肉部の一方の面に柱状の前記インジケータ部が形成され、該薄肉部の他方の面に前記発光源に向けて突出する光入射用の凸部が形成されていることを特徴とする請求項１または４に記載の電子機器。
【発明の詳細な説明】
【技術分野】
【０００１】
本発明は、例えば投射形表示装置（プロジェクタ）等のように操作部を有する電子機器に関する。
【背景技術】
【０００２】
操作部を有する電子機器において、操作状況等を目で確認することができるように、該操作部にインジケータが配置されることがある。（下記特許文献１，２参照）  
例えば特許文献１に示されるインジケータ付スイッチ装置は、イジェクト釦と、照明装置を備えたインジケータ付イジェクトスイッチを有し、電子機器が所定の機能を果たしているときに前記照明装置を作動させることにより、イジェクト釦を照明するようにしている。
【０００３】
特許文献２に示されるインジケータ付スイッチ装置は、操作ノブと、該操作ノブに取付けた照明インジケータ部と、光源としての発光ダイオードなどを有し、電子機器が所定の機能を果たしているときに発光ダイオードを作動させることにより、インジケータレンズを介して所定の表示がなされるように構成されている。
【特許文献１】実開平７−１９８９４号公報
【特許文献２】特開平１１−１６２２８０号公報
【発明の開示】
【発明が解決しようとする課題】
【０００４】
前記のような従来のインジケータ付スイッチ装置では、イジェクト釦あるいは操作ノブ自体にインジケータが配置されているため、イジェクト釦や操作ノブを手指で操作する際にインジケータの少なくとも一部が手指で隠されてしまう。このため、操作中にインジケータを視認しにくいという問題がある。
【０００５】
イジェクト釦あるいは操作ノブ等のコントロールボタンとは別の位置に、インジケータを配置することも考えられるが、その場合、コントロールボタンとインジケータとが互いに別部品となるため、各部品に要する金型費用や部品コストが高くつく。しかも各部品の組付作業に手間がかかり、各々の部品を配置するためのスペースも大きくなるなどの問題がある。
【０００６】
そこで本発明の目的は、部品数を減らすことができかつ操作部の構成を簡易化することができる電子機器を提供することにある。
【課題を解決するための手段】
【０００７】
本発明の一つの形態に係る電子機器は、操作部を設ける筐体と、前記筐体の内部に配置され、接点部および発光源を有する基板と、前記操作部に設けられ、透明樹脂の一体成形品からなる操作表示用部品とを有している。この操作表示用部品は、前記接点部と対応した位置に配置され少なくとも一部に光の透過を抑制する表面処理層が形成されたコントロールボタン部と、前記コントロールボタン部と一体に成形されかつ前記発光源と対応した位置に配置され前記発光源から出る光を前記操作部に表示するインジケータ部とを具備している。
【発明の効果】
【０００８】
本発明によれば、コントロールボタン部とインジケータ部とが、互いに一体化された１個の部品である操作表示用部品によって構成されるため、操作部の構成が簡略化され、筐体への組付も容易となる。しかもコントロールボタン部とは別の位置にインジケータ部が配置されるため、コントロールボタン部を操作する際に手指等によってインジケータ部が隠されてしまうことがない。
【発明を実施するための最良の形態】
【０００９】
以下に本発明に係る電子機器の一つの実施形態である投射形表示装置について、図１〜図７を参照して説明する。  
図１は、投射形表示装置の一例であるビデオプロジェクタ１０を示している。このビデオプロジェクタ１０は筐体１１を備えている。筐体１１は、トップパネル１２やフロントパネル１３、サイドパネル１４などを含み、偏平な箱形をなしている。筐体１１の内部に図示しない画像生成装置や投射用光源、冷却用のファンなどが収納されている。
【００１０】
筐体１１の内部に、前記画像生成装置で生成された画像光を拡大して照射する投射レンズ系１５と、投射レンズ系１５の焦点位置などを調整する際に用いる調整部１６が収容されている。投射レンズ系１５から出る画像光は、フロントパネル１３に形成された開口部１７からスクリーン等に向けて投射される。調整部１６は、トップパネル１２に形成された開口部１８を介して操作することができる。
【００１１】
トップパネル１２の上面に、浅い円形の凹部２０が形成されている。この凹部２０の内側の領域に、ビデオプロジェクタ１０を操作する際の操作手段と表示手段とを兼ねる操作部２１が設けられている。
【００１２】
図２に示すように操作部２１の中央に、操作手段として機能するコントロールスイッチ３０と、左右一対の音量コントロールボタン部３１ａ，３１ｂと、上下一対のアップ／ダウンコントロールボタン部３１ｃ，３１ｄが設けられている。これら音量コントロールボタン部３１ａ，３１ｂとアップ／ダウンコントロールボタン部３１ｃ，３１ｄは、コントロールスイッチ３０を中心として円弧状に配置されている。
【００１３】
またこの操作部２１に、電源コントロールボタン部３１ｅと、インプットコントロールボタン部３１ｆと、リターンコントロールボタン部３１ｇと、メニューコントロールボタン部３１ｈと、画像コントロールボタン部３１ｉなどが設けられている。電源コントロールボタン部３１ｅには、所望のデザインを凹凸によって表現した刻印部３２が形成されている。
【００１４】
さらに操作部２１には、表示手段として機能する電源インジケータ部３３ａと、ランプインジケータ部３３ｂと、温度インジケータ部３３ｃと、ファンインジケータ部３３ｄが設けられている。電源インジケータ部３３ａは電源コントロールボタン部３１ｅの近傍に配置されている。
【００１５】
これらコントロールボタン部３１ａ〜３１ｉとインジケータ部３３ａ〜３３ｄは、図３に示す操作表示用部品４０の一部に設けられている。操作表示用部品４０は、例えば射出成形による透明樹脂の一体成形品からなり、スイッチ手段として機能する前記コントロールボタン部３１ａ〜３１ｉと、円柱状の前記インジケータ部３３ａ〜３３ｄと、板状のフレーム部４１とが一体に形成されている。各コントロールボタン部３１ａ〜３１ｉとフレーム部４１との間には、それぞれ、コントロールボタン部３１ａ〜３１ｉを押圧操作する際に押された方向に弾性変形して撓む短冊状のヒンジ部４２が形成されている。
【００１６】
各々のヒンジ部４２は、フレーム部４１を固定するための取付部(下記取付孔５５が形成されている部分)と、コントロールボタン部３１ａ〜３１ｉとの間に形成されている。すなわち各々のヒンジ部４２は、フレーム部４１を固定するための取付部の近傍に形成されている。このため、コントロールボタン部３１ａ〜３１ｉを押圧操作する際に、ヒンジ部４２に曲げ荷重が加わっても、フレーム部４１の位置がずれたり変形したりすることなく、インジケータ部３３ａ〜３３ｄ等を所定位置に確実に支持することができる。
【００１７】
前記筐体１１の前記コントロールボタン部３１ａ〜３１ｉと対応する位置に、それぞれ貫通孔５１（図２に示す）が形成されている。これら貫通孔５１に、コントロールボタン部３１ａ〜３１ｉが筐体１１の内側から挿入され、コントロールボタン部３１ａ〜３１ｉの上面が操作部２１上に突出する。
【００１８】
またこの筐体１１には、インジケータ部３３ａ〜３３ｄと対応する位置に、それぞれ貫通孔５２が形成されている。これら貫通孔５２に、インジケータ部３３ａ〜３３ｄが筐体１１の内側から挿入され、インジケータ部３３ａ〜３３ｄの上面が操作部２１とほぼ同じ高さの位置に露出する。
【００１９】
操作表示用部品４０のフレーム部４１に、取付孔５５（図３と図４に示す）を含む取付部が形成されている。これらの取付部は、操作表示用部品４０の外周縁部に沿って操作表示用部品４０の外周縁部付近に形成されている。これら取付部の取付孔５５に、ねじ部材あるいはクリップ等の固定用部品を挿入することにより、操作表示用部品４０が筐体１１の内面の所定位置に固定される。これら取付孔５５が設けられているフレーム部４１の外周縁部の内側の領域に、前記コントロールボタン部３１ａ〜３１ｉとインジケータ部３３ａ〜３３ｄが形成されている。
【００２０】
コントロールボタン部３１ａ〜３１ｉの少なくとも一部、例えば操作部２１の上面に突出し露出するコントロールボタン部３１ａ〜３１ｉの上端部を含む領域に、光の透過を抑制するための表面処理層６０が形成されている。表面処理層６０の一例は、意匠的な美しさをかもし出すために、金属光沢を有するアルミニウム蒸着膜が適用される。ただし表面処理層６０の他の例として、めっき、あるいは塗装膜などが採用されてもよい。
【００２１】
図４は、操作表示用部品４０用に射出成形された樹脂製品４０´を示している。この樹脂製品４０´のコントロールボタン部３１ａ〜３１ｉに、アルミニウム蒸着等からなる表面処理層６０を形成することにより、図３に示すような操作表示用部品４０が完成する。インジケータ部３３ａ〜３３ｄは表面処理層６０を形成することなく、透明樹脂のまま使用される。
【００２２】
図５は、筐体１１の内部に設ける基板７０を示している。この基板７０は、筐体１１の内部の所定位置（操作表示用部品４０と対応した位置）に、取付部７１と固定用部品等を介して固定される。基板７０に位置決め孔７２が形成されている。操作表示用部品４０のフレーム部４１には、この位置決め孔７２と対応した位置に、位置決め部として機能する凸部７３が形成されている。この凸部７３を基板７０の位置決め孔７２に挿入することにより、基板７０に対する操作表示用部品４０の位置決めをなすことができる。
【００２３】
前記基板７０には、コントロールボタン部３１ａ〜３１ｉと対応した位置に、スイッチ手段として機能する接点部７５ａ〜７５ｉが設けられている。  
さらに詳しく説明すると、音量コントロール用の接点部７５ａ，７５ｂは、音量コントロールボタン部３１ａ，３１ｂの裏面に形成された突起部７６（図３と図４に示す）と対応した位置に配置されていて、音量コントロールボタン部３１ａ（または３１ｂ）が押されたときに、それぞれに対応する接点部７５ａ（または７５ｂ）が作動するようになっている。
【００２４】
アップ／ダウンコントロール用の接点部７５ｃ，７５ｄは、アップ／ダウンコントロールボタン部３１ｃ，３１ｄの裏面に形成された突起部７７（図３と図４に示す）と対応した位置にあり、コントロールボタン部３１ｃ（または３１ｄ）が押されたときに、それぞれに対応する接点部７５ｃ（または７５ｄ）が作動するようになっている。
【００２５】
前記以外のコントロールボタン部３１ｅ〜３１ｉの裏面にも、接点部７５ｅ〜７５ｉと対応する位置にそれぞれ突起部７８（図３と図４に示す）が設けられていて、各コントロールボタン部３１ｅ〜３１ｉが押されたときに、それぞれに対応する接点部７５ｅ〜７５ｉが作動するようになっている。
【００２６】
またこの基板７０には、インジケータ部３３ａ〜３３ｄと対応した位置に、発光源として機能するＬＥＤ等の発光素子８５ａ〜８５ｄが設けられている。発光素子８５ａ〜８５ｄは、それぞれインジケータ部３３ａ〜３３ｄと対応した位置に配置され、発光素子８５ａ〜８５ｄが発する所定の色の光をインジケータ部３３ａ〜３３ｄに与えるようになっている。
【００２７】
例えばこのビデオプロジェクタ１０の電源がスタンバイ状態のときに、発光素子８５ａによって、電源インジケータ部３３ａが例えばオレンジ色で表示される。電源コントロールボタン３１ｅが押され、電源がオンになると、電源インジケータ部３３ａが発光素子８５ａによって緑色で表示される。
【００２８】
ランプインジケータ部３３ｂは、電源がオンとなって投射用光源が点灯している時に、発光素子８５ｂによって例えば緑色に表示される。温度インジケータ部３３ｃは、温度異常時に発光素子８５ｃが例えば赤色に点灯することにより、警告を表示する機能を担っている。ファンインジケータ部３３ｄは、電源がオンとなってファンが作動している時に、発光素子８５ｄによって例えば緑色に表示される。
【００２９】
図６と図７は、操作表示用部品４０の一部を拡大して示している。操作表示用部品４０のフレーム部４１の一部、すなわちインジケータ部３３ａ〜３３ｄが形成されている部位（図６と図７は温度インジケータ部３３ｃを示す）に、他の部位よりも肉厚を薄くしてなる薄肉部９０が形成されている。この薄肉部９０の一方の面（上面側）に柱状のインジケータ部３３ａ〜３３ｄが形成されている。薄肉部９０の他方の面（下面側）すなわち凹部９１側に、発光素子８５ａ〜８５ｄに向って突出する光入射用の凸部９２が形成されている。
【００３０】
図７に温度インジケータ部３３ｃを代表して示すように、各インジケータ部３３ａ〜３３ｄは、それぞれ、薄肉部９０から先端の表示面９５に向って直径が次第に小さくなる円錐台形の部分９６と、表示面９５に向って直径が変わらない円柱形の部分９７とによって構成されている。
【００３１】
このようなインジケータ部３３ａ〜３３ｄと光入射用の凸部９２を薄肉部９０に形成したことにより、発光素子８５ａ〜８５ｄから凸部９２に入射した光が、空気よりも屈折率の大きい透明樹脂からなる凸部９２を介してインジケータ部３３ａ〜３３ｄの内部に効率良く伝わり、光が漏れることが抑制されてインジケータ部３３ａ〜３３ｄの先端の表示面９５を効果的に照明することができる。
【００３２】
本実施形態によれば、コントロールボタン部３１ａ〜３１ｉとインジケータ部３３ａ〜３３ｄとが、一体化された一部品である操作表示用部品４０によって構成されている。これらコントロールボタン部３１ａ〜３１ｉとインジケータ部３３ａ〜３３ｄは、フレーム部４１を介してコンパクトにまとまっているため、操作部２１の構成が簡略化され、筐体１１への組付も容易である。しかもコントロールボタン部３１ａ〜３１ｉとは別の位置にインジケータ部３３ａ〜３３ｄが配置されるため、コントロールボタン部３１ａ〜３１ｉを操作する際にインジケータ部３３ａ〜３３ｄが手指で隠されてしまうことがなく、インジケータ部３３ａ〜３３ｄが見やすいものである。
【００３３】
なお本発明は、プロジェクタ以外の電子機器に適用することができるのは勿論であり、要するに操作部にコントロールボタン部とインジケータ部が配置される電子機器であれば同様に適用することができる。
【図面の簡単な説明】
【００３４】
【図１】本発明の一実施形態に係るビデオプロジェクタの斜視図。
【図２】図１に示されたビデオプロジェクタの操作部を拡大して示す斜視図。
【図３】図１に示されたビデオプロジェクタの操作表示用部品の斜視図。
【図４】図３に示された操作表示用部品に表面処理層を形成する前の樹脂製品を示す斜視図。
【図５】図１に示されたビデオプロジェクタに内蔵される基板の斜視図。
【図６】図３に示された操作表示用部品の一部の平面図。
【図７】図６中のＦ７−Ｆ７線に沿う断面図。
【符号の説明】
【００３５】
１０…ビデオプロジェクタ（電子機器の一例）、１１…筐体、２１…操作部、３１ａ〜３１ｉ…コントロールボタン部、３３ａ〜３３ｄ…インジケータ部、４０…操作表示用部品、４２…ヒンジ部、６０…表面処理層、７０…基板、７５ａ〜７５ｉ…接点部、８５ａ〜８５ｄ…発光素子、９０…薄肉部、９２…光入射用の凸部。
【図１】
2007172988.tif 000003
【図２】
2007172988.tif 000004
【図３】
2007172988.tif 000005
【図４】
2007172988.tif 000006
【図５】
2007172988.tif 000007
【図６】
2007172988.tif 000008
【図７】
2007172988.tif 000009